(57)【要約】【課題】サイクロン式集塵部で捕集した塵埃の廃棄（ゴミ捨て作業）を容易にする。【解決手段】サイクロン式集塵部２０５の一方の端面側にはサイクロン室１０２ａに含塵空気が流入する吸気部を設け、他方の端面側にはサイクロン集塵部に形成された開放部に開閉自在に取り付けられた塞ぎ板３０１と、該塞ぎ板を開閉自在に軸支する支軸６０１と、該支軸の反対側に位置する前記塞ぎ板の部位を係止するクランプレバー６０２とを設ける。【選択図】図７
2008043792.tif 000002
【特許請求の範囲】
【請求項１】
電動送風機を内蔵した掃除機本体と、該掃除機本体に着脱自在に装着され、含塵空気を遠心分離して集塵するサイクロン式集塵部とを備えた電気掃除機において、
前記サイクロン式集塵部は、含塵空気を遠心分離するサイクロン式集塵室と、該サイクロン集塵室で遠心分離された塵埃を溜める集塵室と、該集塵室と前記サイクロン式集塵室とを連通する連通口とを備え、
前記サイクロン式集塵部の一方の端面側には前記サイクロン室に含塵空気が流入する吸気部が設けられ、他方の端面側には該サイクロン集塵部に形成された開放部に開閉自在に取り付けられた塞ぎ板と、該塞ぎ板を開閉自在に軸支する支軸と、該支軸の反対側に位置する前記塞ぎ板の部位を係止するクランプレバーとを備えたことを特徴とする電気掃除機。
【請求項２】
請求項１において、
前記サイクロン式集塵部は、水平状態となるように前記掃除機本体に装着したことを特徴とする電気掃除機。
【請求項３】
請求項１または２において、
前記クランプレバーはレバーケースにより囲まれたことを特徴とする電気掃除機。
【発明の詳細な説明】
【技術分野】
【０００１】
本発明は、電気掃除機に関する。
【背景技術】
【０００２】
吸気を旋回させて塵埃を遠心分離するサイクロン式集塵部を備えた電気掃除機が特開２００１−２９８２２号公報などに記載されている。この電気掃除機は、吸気口を有する吸口に接続される接続パイプにサイクロン式集塵部が連結されている。このサイクロン式集塵部は、ホースを介して電動送風機を備えた電気掃除機本体に連結されている。
【０００３】
図１０は、前記サイクロン式集塵部の斜視透視図を示している。吸口から吸い込まれて接続パイプ３を通った含塵空気は、連通管５ａによって円筒状のサイクロン式集塵部５の接線方向に流入する。これによって、サイクロン式集塵部５内に旋回流が発生し、遠心力によって第１集塵室７の外周側に移動した塵埃は隔壁９のメッシュ開口部を通って、サイクロン式集塵部５とほぼ同軸で下部に設置された第２集塵室８に落下する。塵埃が分離された空気はメッシュ排気口５ｂから連結管１０ｂを通って掃除機本体に（図示せず）導かれる。小径のサイクロン式集塵部５と接続パイプ３をほぼ平行に配置して、小型と操作性を向上させるようにしている。
【０００４】
また、実用新案第２５８３３４５号公報には、接続パイプ部分にサイクロン集塵部を配した電気掃除機が記載されている。この電気掃除は、吸気口よりの気流を旋回羽根で旋回方向に曲げて旋回流を作り、吸気管と反対側に設置した吐出管より空気を下流に送るように構成し、サイクロン集塵部の側面に集塵室を配置している。
【０００５】
【特許文献１】特開２００１−２９８２２号公報
【特許文献２】実用新案第２５８３３４５号公報
【発明の開示】
【発明が解決しようとする課題】
【０００６】
しかしながら、前述した従来の電気掃除機は、サイクロン式集塵部５と集塵室８とを同軸で、且つ、直列に配置しているために長さが長くなり、吸口を移動させる際の操作性を劣化させていた。
【０００７】
また、集塵室８内には細かい塵埃と粗い塵埃が混在している。そのために、集塵室８内の塵埃を捨てる際には、細かな塵埃が舞い上がって周辺を汚す問題がある。
【０００８】
掃除機本体内に別の集塵室を設け、細かな塵埃を集塵室内に設置したフィルターで分離して除去する方法も考えられる。この方法では、電気掃除機本体が大型化したり、集塵室に溜った塵埃を廃棄するなどの必要が生じ、ゴミ捨て作業の作業性を劣化させる。
【０００９】
掃除機本体にサイクロン式集塵部を設けるものでは、サイクロン式集塵部の旋回流を略垂直方向になるように該サイクロン式集塵部を設置するものが多く、このような構成では、サイクロン式集塵部と同軸上に集塵部を設けるものでは、掃除機本体の背丈が高くなり、掃除機本体の大型化が避けられない。また、掃除機本体の重心位置が高くなり、走行時に不安定となり易い。
【００１０】
本発明の目的は、サイクロン式集塵部で捕集した塵埃の廃棄（ゴミ捨て作業）が容易な電気掃除機を実現することにある。
【課題を解決するための手段】
【００１１】
本発明は、電動送風機を内蔵した掃除機本体と、該掃除機本体に着脱自在に装着され、含塵空気を遠心分離して集塵するサイクロン式集塵部とを備えた電気掃除機において、前記サイクロン式集塵部は、含塵空気を遠心分離するサイクロン式集塵室と、該サイクロン集塵室で遠心分離された塵埃を溜める集塵室と、該集塵室と前記サイクロン式集塵室とを連通する連通口とを備え、前記サイクロン式集塵部の一方の端面側には前記サイクロン室に含塵空気が流入する吸気部が設けられ、他方の端面側には該サイクロン集塵部に形成された開放部に開閉自在に取り付けられた塞ぎ板と、該塞ぎ板を開閉自在に軸支する支軸と、該支軸の反対側に位置する前記塞ぎ板の部位を係止するクランプレバーとを備えたことを特徴とする。
【発明の効果】
【００１２】
本発明によれば、クランプレバーによる係止を解除することにより、集塵室の開放部を塞ぐ塞ぎ板を開放することができるので、サイクロン式集塵部で捕集した塵埃の廃棄を容易に行うことができる。
【発明を実施するための最良の形態】
【００１３】
電動送風機を内蔵した掃除機本体と、該掃除機本体に着脱自在に装着され、含塵空気を遠心分離して集塵するサイクロン式集塵部とを備えた電気掃除機において、
前記サイクロン式集塵部は、含塵空気を遠心分離するサイクロン式集塵室と、該サイクロン集塵室で遠心分離された塵埃を溜める集塵室と、該集塵室と前記サイクロン式集塵室とを連通する連通口とを備え、
前記サイクロン式集塵部の一方の端面側には前記サイクロン室に含塵空気が流入する吸気部が設けられ、他方の端面側には該サイクロン集塵部に形成された開放部に開閉自在に取り付けられた塞ぎ板と、該塞ぎ板を開閉自在に軸支する支軸と、該支軸の反対側に位置する前記塞ぎ板の部位を係止するクランプレバーとを備え、
更に、前記サイクロン式集塵部は、水平状態となるように前記掃除機本体に装着し、
前記クランプレバーはレバーケースにより囲まれた構成とする。
【実施例１】
【００１４】
以下、本発明の実施例を図面を参照して説明する。図２は、本発明の実施例１である電気掃除機の外観斜視図である。図３は、この電気掃除機の掃除機本体における構成部品配置状態を示す模式図である。
【００１５】
２０１は掃除機本体、２０２は吸口、２０３は伸縮自在の接続パイプ、２０４は手元操作部、２０５はサイクロン式集塵部、２０６はホース、２０７は表示部、２０８は電動送風機、２０９は走行車輪、２１０はホース接続口である。
【００１６】
掃除機本体２０１は、サイクロン式集塵部２０５を、床面走行の姿勢にあるときに水平状態となり、その旋回流の旋回軸芯がホース２０６の接続方向を前方向とすると左右方向（横方向）に向くように該掃除機本体２０１の前半部分に着脱可能に横向きに内蔵し、電動送風機２０８を、前記サイクロン式集塵部２０５の後方に位置させて回転軸が左右方向（横方向）を向くように該掃除機本体２０１の後半部分に水平状態に横向きに内蔵する。
【００１７】
サイクロン式集塵部２０５は、詳細には後述するが、両端面を塞いだ円筒状の構造物であり、一方の端面側に吸気部である吸込み管１０１と排気部である排気口１０８を備え、他方の端面側に集塵室と連通する連通口１０３を備える。吸込み管１０１は、このサイクロン式集塵部２０５を掃除機本体２０１に設置した状態でホース接続口２１０の内側部に気密状態に接触させて該ホース接続口２１０と連通させる。
【００１８】
電動送風機２０８は、駆動電動機２０８ａによって回転駆動されるファン部２０８ｂの吸気口２０８ｃが前記サイクロン式集塵部２０５における排気部と同じ端面側に位置するように掃除機本体２０１に設置し、前記吸気口２０８ｃには、連通管２０８ｄを接続する。この連通管２０８ｄは、前記サイクロン式集塵部２０５を掃除機本体２０１に設置したときに該サイクロン式集塵部２０５の排気部と密に接触して排気口１０８と連通するように設置する。
【００１９】
電動送風機２０８の駆動電動機２０８ａの後方の空間には制御装置や電源コードリールまたは電源電池などの電気部品２１１を設置する。
【００２０】
この電気掃除機は、吸口２０１から吸い込んだ含塵空気を、接続パイプ２０３とホース２０６を介して掃除機本体２０１の前部に設けたホース接続口２１０から該掃除機本体２０１内のサイクロン式集塵部２０５に吸い込ませる。サイクロン式集塵部２０５は、吸い込んだ含塵空気を旋回させて塵埃を遠心分離した後に清浄な空気を掃除機本体２０１内の電動送風機２０８に吸い込ませる。電動送風機２０８の排気は、掃除機本体２０１に設けた排気口（図示省略）より機外に排出する。
【００２１】
次に、サイクロン式集塵部２０５について説明する。図１は、サイクロン式集塵部を透視して基本的な構成を示す斜視図である。図４は、サイクロン式集塵部の具体的な構成を示す縦断正面図、図５は、図４におけるＡ−Ａ断面図、図６は、図４におけるＢ−Ｂ断面図である。
【００２２】
サイクロン式集塵部２０５は、基本的には、図１に示すように、内側にサイクロン式集塵室１０２ａを形成するサイクロン式集塵管１０２と、サイクロン式集塵管１０２に形成した吸込み口１１２の外側に接続した吸込み管１０１と、サイクロン式集塵室１０２ａと集塵室１０４を連通する略長方形状の連通口１０３と、サイクロン式集塵室１０２ａ内の中心部に伸びる略円筒状の吐出管１０５と、吐出管１０５の上流部の側面に設けた多数の穴で構成した吐出口１０６と、吐出管１０５の上流端面を塞ぐ吐出管塞ぎ板１０７と、サイクロン式集塵管１０２の一方の端面と集塵室１０４の端面を塞ぐ着脱可能な塞ぎ板１０９と、サイクロン式集塵管１０２の他方の端面側に取り付けて吐出管１０５を支持すると共に該吐出管１０５を排気室１１１ａに開口させる吐出管隔壁１１０と、吐出管１０５と排気口１０８が開口する排気室１１１ａを形成するようにサイクロン式集塵管１０２の他方の端面側に結合した排気箱１１１を備える。
【００２３】
吸込み管１０１は、略長方形断面をしていて、内部に吸込み通路４０２を形成し、ホース接続口２１０と気密を保って連通し、且つ、サイクロン式集塵管１０２に設けた吸込み口１１２と気密を保つように連通させる。この吸込み管１０１は、サイクロン式集塵管１０２と一体的に設け、サイクロン式集塵部２０５を掃除機本体２０１に設置したときにホース接続口２１０と気密状態に当接させてホース２０６との接続を実現し、または、掃除機本体２０１側に設置し、サイクロン式集塵管１０２を掃除機本体２０１に設置したときに該サイクロン式集塵管１０２の吸込み口２１０の周縁に気密状態に接触させて該サイクロン式集塵管１０２との接続を実現するように構成する。なお、この吸込み管１０１は、円形とか楕円形の断面形状をしていても構わないが、その流れ方向の断面積がほぼ同一になるようにするのが良い。また、図示説明は省略するが、この接触部（接続部）の気密保持は、弾性を持つ薄い部材、例えばゴムあるいは軟質のプラスチックを接触部に介在させることにより実現する。サイクロン式集塵管１０２は、略円筒断面形状の部材を使用し、その両端面を塞いだ円筒部材となるように構成する。
【００２４】
サイクロン式集塵管１０２と連通口１０３と集塵室１０４は、端面側を開放した形態で連通口１０３と集塵室１０４がサイクロン式集塵管１０２の下面側に位置するように樹脂成型によって一体的に形成し、これらの開放面を該開放端縁に着脱可能に嵌着する１つの塞ぎ板１０９によって塞ぐように構成する。なお、図示説明は省略するが、塞ぎ板１０９は、サイクロン式集塵管１０２の壁面に設けた突起に引っ掛けて係止するように構成する。
【００２５】
吸込み管１０１は、サイクロン式集塵管１０２の吸込み口１１２からサイクロン式集塵室１０２ａ内に接線方向に空気を吹き出すように設置し、サイクロン式集塵室１０２ａ内に吹き出した含塵空気を該サイクロン式集塵室１０２ａの中心部に位置する略円筒形状の吐出管１０５の周囲に旋回させる。旋回する含塵空気は、後続する吹き出し空気に押し出されて塞ぎ板１０９の方向へ螺旋状に流れ、その間に、旋回流に乗った塵埃は遠心力の作用を受けて徐々にサイクロン式集塵管１０２の内壁面方向に移動（分離）する。そして、サイクロン式集塵管１０２の内側面に沿って移動する塵埃は、塞ぎ板１０９の近くに至ると、サイクロン式集塵管１０２に設けた連通口１０３を通って集塵室１０４に落下（移動）する。この集塵室１０４は、連通口１０３から入ってきた塵埃をその中に留めて蓄積する。
【００２６】
塵埃が分離されて清浄になった空気は、旋回しながら塞ぎ板１０９の中心部の方向に向かい、折り返してサイクロン式集塵室１０２ａの中心付近を通って吐出管１０５の方向に向かう。そして、吐出管１０５の側面の吐出口１０６を通って該吐出管１０５内に入り、その内部を排気室１１１ａ側に向けて流れる。
【００２７】
排気室１１１ａ内には、多孔性の発泡材で構成した厚板形状のフィルター３０３を前記吐出管隔壁１１０と複数の開口３０６を持つフィルターケース３０５の間に挟持して設置する。このフィルター３０３は、吐出管１０５から排気室１１１ａに流れ込む空気流に含まれる微細塵を除去する。吐出管隔壁１１０は、吐出管１１０の下流側端縁から径方向に伸びる鍔状部材であり、この吐出管隔壁１１０の外周端縁は、サイクロン式除塵管１０２の端縁に当接する。フィルターケース３０５は、底部に多数の開口３０６を設けた浅底の円筒形状部材であり、その内側にフィルター３０３を収容して前記吐出管隔壁１１０の外側に当接する。排気箱１１１は、周壁に排気口１０８を形成した有底の円筒形状部材であり、サイクロン式集塵管１０２の端縁に着脱可能に嵌着して前記吐出管隔壁１１０およびフィルターケース３０５を前記サイクロン式集塵管１０２の端縁の間に挟持する。排気室１１１ａに流入した清浄な空気は、排気箱１１１の側面に設けた排気口１０８から電動送風機２０８に吸い込まれる。
【００２８】
このようにしてサイクロン式集塵管１０２と集塵室１０４内に塵埃が溜ると、サイクロン式集塵部２０５を掃除機本体２０１から取り外し、塞ぎ板１０９側を上向きにした状態で該塞ぎ板１０９をサイクロン式集塵管１０２から外して該サイクロン式集塵管１０２（サイクロン式集塵室１０２ａ）と集塵室１０４の端面を開放し、この開放側を下向きにしてゴミ捨てを行う。
【００２９】
なお、塞ぎ板１０９は、サイクロン式集塵管１０２と集塵室１０４の端面を気密状態に塞ぐように嵌着する構成であり、両者の間には薄い弾性を持つ部材、例えば、ゴムあるいは軟質のプラスチックを介在させ気密を実現するように構成する。
【００３０】
この実施例における電気掃除機は、次のような特徴を有する。サイクロン式集塵部２０５の捕塵特性は、サイクロン式集塵管１０２（サイクロン式集塵室１０２ａ）の寸法（長さ）が長いほど向上するといわれているが、集塵室１０４をサイクロン式集塵管１０２の側面に位置させているので、サイクロン式集塵管と集塵室を同軸上に配置したものに比べて、高い捕塵特性を得るためにサイクロン式集塵管１０２を長くする割にはサイクロン式集塵部２０５の長さの増加を抑制することができる。
【００３１】
掃除機本体２０１は、前半部分にサイクロン式集塵部２０５を横向きに水平状態に設置し、後半部分に電動送風機２０８を横向きに水平状態に設置しているので、低い背丈で構成することができ、小型で安定した走行性が得られ、操作性に優れたものとすることができる。
【００３２】
サイクロン式集塵管１０２と集塵室１０４を一体的に形成しているので、部品点数を少なくすることができる。
【００３３】
また、サイクロン式集塵室１０２ａと集塵室１０４の連通口１０３は、サイクロン集塵管１０２の端部に略長方形状に設けているので、ゴミの引っ掛かりが少ない。
【００３４】
また、前記サイクロン式集塵管１０２と集塵室１０４の端面を１つの塞ぎ板１０９によって密閉および開放することができるので、サイクロン式集塵管１０２内の塵埃と集塵室１０４に溜った塵埃を捨てるゴミ捨てが容易になる。
【００３５】
また、サイクロン式集塵室１０２ａ内に伸びる吐出管１０５は、その先端面を吐出管塞ぎ板１０７によって閉じて側面に吐出口１０６を設けているので、サイクロン式集塵室１０２ａ内に繊維塵などが留まった状態で掃除機の運転停止したとに該繊維塵が吐出管１０５の方向に移動しても該吐出管１０５内に流入するのを防止することができる。また、吐出口１０６は、多数の開口によって構成しているので、下流のフィルター側への繊維塵の侵入を防止できる。
【００３６】
また、サイクロン式集塵管１０２の端部に設けた連通口１０３は、このサイクロン式集塵管１０２の端縁の下面側を凹部とし、塞ぎ板１０９を嵌着することにより形成するように構成し、更に、集塵室１０４もサイクロン式集塵管１０２の端縁側を開放した形態で塞ぎ板１０９を嵌着することにより形成するように構成しているので、サイクロン式集塵管１０２と連通口１０３と集塵室１０４を成型する成型型の型抜きが容易で作り易い。
【００３７】
また、サイクロン式集塵管１０２と集塵室１０４と、吐出管１０５と吐出管隔壁１１０と、フィルター３０３と、フィルターカバー３０５と、排気箱１１１は、それぞれに分解することができるように構成しているので、それぞれを別個に分解した状態で水洗いすることができ、各部材に付着した粉塵を洗い落とすことが容易となる。勿論、フィルター３０３は、水洗いしても変質して特性が落ちないものを使用する。
【実施例２】
【００３８】
図７は、本発明の他の実施例である電気掃除機におけるサイクロン式集塵部の縦断正面図である。このサイクロン式集塵部以外の構成は、前述した実施例における電気掃除機と同一であるので、図示説明を省略する。また、前述した実施例におけるサイクロン式集塵部と相応する構成部材には同一の参照符号を付して重複する説明を省略する。
【００３９】
この実施例における吐出管１０５は、先端を開口６０７によって開放した先細りの円錐形状に構成し、複数の開口１０６は、先端に近い部分に多く分布するように設ける。そして、この吐出管１０５は、先端の開口６０７と複数の開口１０６を覆うようにプラスチック製の網６０６をインサート成型している。網６０６は、ポリエステルなどの材質で構成し、そのメッシュ数は１インチ当り１５０本程度のものを用いると良い。
【００４０】
排気室１１１ａに設置するフィルター６０８は、多数の開口を有する円筒状のフィルターケース６０９でその外周を覆って吐出管１０５の開口よりも大径の円筒形状に形成し、排気室１１１ａ内を吐出管１０５が開口する中心部と排気口１０８が開口する外周部に区画するように吐出管隔壁１１０と排気箱１１１で挟持して設置する。
【００４１】
この実施例では、フィルター６０８は、吐出管１０５の開口と同心円上に設けているが、排気口１０８と対抗する方向に狭くなるように設置しても良い。また、円筒形状ではなく、円錐形状や楕円筒形状に構成しても良い。
【００４２】
サイクロン式集塵管１０２および集塵室１０４の開口端面を塞ぐ塞ぎ板１０９は、回動してサイクロン式集塵管１０２と集塵室１０４を開閉するように支軸６０１によってサイクロン式集塵管１０２の開口端縁に取り付け、この取り付け位置と反対側の部位を押え付けて塞ぎ板１０９をサイクロン式集塵管１０２および集塵室１０４の開口端縁に密着させるクランプレバー６０２を設ける。サイクロン式集塵管１０２および集塵室１０４の開口端面と塞ぎ板１０９の密着（気密）性は、塞ぎ板１０９側にゴムや軟質のプラスチックなどを取り付けて高めることが望ましい。
【００４３】
クランプレバー６０２は、軸６０４によって転角自在に支持し、この軸６０４を支点にして時計方向に転角して塞ぎ板１０９を係止するようにばね６０５によって付勢し、塞ぎ板１０９の端縁を係止して押え付けるために先端に設けた係止爪６１０は、閉じる方向に回動する塞ぎ板１０９の端縁に押されて後退（反時計方向に転角）する傾斜面を備える。クランプレバー６０２は、レバーケース６１２で囲み、サイクロン式集塵部２０５を掃除機本体に設置したときに該掃除機本体に押されて転角するのを防止する。
【００４４】
この実施例における電気掃除機は、次のような特徴を有する。前述した実施例における電気掃除機と共通する特徴については説明を省略する。
【００４５】
吐出管１０５を円錐形状としているので、サイクロン式集塵室１０２ａ内における旋回流が吐出管１０５の先端側（塞ぎ板１０９側）に移行し易くなり、従って、サイクロン式集塵室１０２ａ内の旋回気流の巻数が少なくなって通気抵抗が小さくなる。また、吸込み口１１２からサイクロン式集塵室１０２ａ内に流入した爪楊枝などの棒状の塵埃は、吐出管１０５に衝突すると該吐出管１０５の先端側に向かう分力を受け易いので、吐出管１０５の開口１０６に引っかかりにくい。また、吐出管１０６の開口６０７，１０６を覆うように表面に設けたメッシュ６０６は、繊維塵などが該メッシュ６０６の部分に触れたときに、特に側面側へは繊維塵が付着しにくいので、繊維塵の付着による通気抵抗の増加を抑制することができる。
【００４６】
ゴミ捨て時には、サイクロン式集塵部２０５を掃除機本体２０１から取り出し、塞ぎ板１０９側を下向きにしてサイクロン式集塵部２０５をごみ箱あるいはゴミ袋の上に持っていってクランプレバー６０２を押すことにより、塞ぎ板１０９の係止を解放して該塞ぎ板１０９を回動させてサイクロン式集塵管１０２および集塵室１０４を開放することにより、サイクロン式集塵管１０２および集塵室１０４内の塵埃を下方のゴミ箱あるいはゴミ袋内に落下させることができる。従って、手を汚すことなく簡単にゴミ捨てを行うことができる。また、ゴミ捨て後は、塞ぎ板１０９をサイクロン式集塵管１０２および集塵室１０４の端縁に押し付けるように回動させることにより、塞ぎ板１０９をサイクロン式集塵管１０２および集塵室１０４の端面の開口を塞ぐように端縁に密着状態にクランプレバー６０２で係止することができる。
【００４７】
また、円筒形状のフィルター６０８は、フィルターの表面積を大きくすることができるので、フィルター６０８の通気抵抗を小さくすることができる。更に、吐出管１０５と同心円上に配置したフィルター６０８は、図示説明は省略するが、排気口１０８側が広くなるように偏芯させて設置することにより、排気室１１１ａ内の通気抵抗を小さくできる。また、フィルター６０８の一部を吐出管１０５の内側の空間に押し込めて設置しても良い。
【実施例３】
【００４８】
図８は、本発明の更に他の実施例である電気掃除機におけるサイクロン式集塵部の縦断正面図であり、図９は、図８におけるＣ−Ｃ断面図である。このサイクロン式集塵部以外の構成は、前述した実施例における電気掃除機と同一であるので、図示説明を省略する。また、前述した実施例におけるサイクロン式集塵部と相応する構成部材には同一の参照符号を付して重複する説明を省略する。
【００４９】
先端面を閉じた吐出管１０５の側面に形成した開口１０６は、インサート成型したメッシュ６０６によって覆う構成である。
【００５０】
排気箱１１１内は、吐出管隔壁１１０との間を仕切り板７１２で仕切って混合室７１０を形成し、混合室７１０と排気室１１１ａを開口７１４によって連通させ、多数の開口を有する円筒状のフィルターケース６０９でその外周を覆って吐出管１０５の開口よりも大径の円筒形状に形成したフィルター６０８によって排気室１１１ａを開口７１４に連通する中心部と排気口１０８が開口する外周部に区画する。
【００５１】
集塵室１０４は、サイクロン集塵管１０２と反対側の壁面（底面）に案内ガイド支持部７１２を中心として手前側に倒せるように起立させた案内ガイド７０１を設けている。また、底面には凹部７１６を設けて前記案内ガイド７０１が収まるようにしているが、底面の凸部７１５と案内ガイド７０１が干渉するようにしている。この案内ガイド７０１の設置位置は、案内ガイド７０１の手前側部分が連通口１０３の下側の領域に位置するように設定する。この実施例における案内ガイド７０１は、直線状にしているが、流れを誘導し易いように曲線（曲面）状に構成するとなお良い。
【００５２】
また、集塵室１０４の奥側には背面プレート７０２を背面プレート支持部７０３によって転角および着脱可能に設け、この背面プレート７０２の奥側に前記混合室７１０と連通する連通室７０６を区画する。背面プレート７０２は、集塵室１０４と連通室７０６の間の隙間（連通面積）を小さくするようにばね７０４によって支える。
【００５３】
連通室７０４と混合室７１０との間の通路には、インサート成型したメッシュ７０５を設置する。
【００５４】
このように構成した電気掃除機のサイクロン集塵部２０５は、サイクロン式集塵室１０２ａ内における旋回流によって塵埃に遠心力を作用させてサイクロン式集塵管１０２の内壁側の塵埃密度を高めながら塞ぎ板１０９の方向に流れる。
【００５５】
集塵室１０４における背面プレート７０２の奥の連通室７０６内の空気は、混合室７１０に吸い出されるために、集塵室１０４内の空気が背面プレート７０２の周縁の隙間から連通室７０６に流れ込み、従って、集塵室１０４には、サイクロン式集塵管１０２の内壁面に沿って旋回する塵埃密度が高い空気が連通口１０３を通って流入する。
【００５６】
サイクロン式集塵室１０２ａ内において塵埃の密度が小さくなった中心部の空気は、逆流して吐出管１０５の開口１０６から該吐出管１０５内を流れて混合室７１０に流入する。混合室７１０の空気は、フィルター６０８を通って、排気室１１１ａに至り、排気口１０８から電動送風機側に吸い出される。
【００５７】
集塵室１０４に流入した塵埃密度の高い気流は、案内ガイド７０１を起こすように作用しながら該案内ガイド７０１に誘導されて集塵室１０４の奥の方に送り込まれ、塵埃が沈降して蓄積する。集塵室１０４には奥に向かって流れる気流が発生しているので、集塵室１０４内の塵埃は奥の方向に押されて圧縮されながら蓄積することから、多量の塵埃を蓄積することが可能となる。
【００５８】
そして、集塵室１０４内の塵埃の蓄積量が多くなると該塵埃の圧力によって背面プレート７０２が押されてばね７０４に逆らって後方に傾くことから該背面プレート７０２の周囲の隙間の面積が大きくなり、蓄積した塵埃によって通りにくくなった空気の通りが良くなることから、塵埃の蓄積量を増加させることができる。
【００５９】
なお、背面プレート７０２の周囲の隙間を通り抜けた繊維塵は、メッシュ７０５によって捕捉する。そして、背面プレート７０２の奥側の連通室７０６に溜まった塵埃の処理は、背面プレート７０２を外してゴミ捨てを行い、その後、取り付けることにより実現する。
【００６０】
この実施例における電気掃除機は、次のような特徴を有する。前述した実施例における電気掃除機と共通する特徴については説明を省略する。
【００６１】
集塵室１０４の奥部をサイクロン式集塵管１０２の排気部である混合室７１０に連通させて排気するように構成しているので、連通口１０３の部分に至った含塵空気（塵埃）が集塵室１０４内に流入し易くなり、更に、集塵室１０４に流入した空気が該集塵室１０４内を奥部に向かって流れるので、塵埃を集塵室１０４の奥部に導いて圧縮するように蓄積することができる。
【００６２】
また、連通口１０３から集塵室１０４に流れ込んだ含塵空気は、案内ガイド７０１に誘導されて集塵室１０４の移動することから、特に繊維塵を集塵室１０４の奥部に内に押し込んで圧縮して溜めることができるので、集塵量を多くすることができる。
【００６３】
また、ゴミ捨て時には、集塵室１０４の奥に溜った塵埃の排出を妨げないように案内ガイド７０１を倒すことができるので、ゴミ捨て作業が容易になる。また、ゴミ捨て作業で倒れた案内ガイド７０１は、その後の清掃運転における気流の作用で起こすことができるので、案内ガイド７０１の取り扱いが容易である。
【００６４】
また、集塵室１０４の奥に設置した背面プレート７０２は、集塵室１０４内の塵埃の量に応じて傾くので、塵埃の蓄積量が少ないときには、混合室７１０へ抜ける通路の面積を小さくして集塵室１０４内の気流量を抑制することにより微細な塵埃の混合室７１０内への吹き抜けを少なくし、繊維塵などの塵埃の蓄積量が多くなると、徐々に通路面積を大きくして気流量を多くしてサイクロン式集塵室１０２ａ内の塵埃が集塵室１０４内へ流入するのを助長すると共に、集塵室１０４内に溜った塵埃の圧縮も手助けする。なお、繊維塵が積層して行くと、繊維塵自身がゴミをろ過する機能を持つようになるので、気流の量を多くしても微細塵の吹き抜けはそれほど大きくはならない。従って、小型のサイクロン式集塵室１０２ａと集塵室１０４によって大きな集塵容量を実現することができる。
【００６５】
また、背面プレート７０２は、着脱可能であるので、背面プレート７０２を外してゴミ捨てを行い、その後、取り付けることにより、背面プレート７０２の奥側の連通室７０６に溜まった塵埃の処理を実現することができる。
【図面の簡単な説明】
【００６６】
【図１】本発明の実施例１におけるサイクロン式集塵部を透視して基本的な構成を示す斜視図である。
【図２】本発明の実施例１である電気掃除機の外観斜視図である。
【図３】図２に示した電気掃除機の掃除機本体における構成部品配置状態を示す模式図である。
【図４】本発明の実施例１である電気掃除機におけるサイクロン式集塵部の具体的な構成を示す縦断正面図である。
【図５】図４におけるＡ−Ａ断面図である。
【図６】図４におけるＢ−Ｂ断面図である。
【図７】本発明の実施例２である電気掃除機におけるサイクロン式集塵部の縦断正面図である。
【図８】本発明の実施例３である電気掃除機におけるサイクロン式集塵部の縦断正面図である。
【図９】図８におけるＣ−Ｃ断面図である。
【図１０】従来の電気掃除機におけるサイクロン式集塵部の斜視透視図である。
【符号の説明】
【００６７】
１０１…吸込み管、１０２…サイクロン式集塵管、１０２ａ…サイクロン式集塵室、１０３…連通口、１０４…集塵室、１０５…吐出管、１０６…吐出口、１０８…排気口、１０９…塞ぎ板、１１１…排気箱、１１１ａ…排気室、１１２…吸込み口、２０１…掃除機本体、２０２…吸口、２０３…接続パイプ、２０４…手元操作部、２０５…サイクロン式集塵部、２０６…ホース、２０７…表示部、２０８…電動送風機、２１０…ホース接続口、３０１…塞ぎ板、６０１…支軸、６０２…クランプレバー。
【図１】
2008043792.tif 000003
【図２】
2008043792.tif 000004
【図３】
2008043792.tif 000005
【図４】
2008043792.tif 000006
【図５】
2008043792.tif 000007
【図６】
2008043792.tif 000008
【図７】
2008043792.tif 000009
【図８】
2008043792.tif 000010
【図９】
2008043792.tif 000011
【図１０】
2008043792.tif 000012